(57)【要約】【課題】便鉢の内部の洗浄水の水位を検知する水位センサの取り扱いを容易にし、水位センサの誤検知を防止できる便器装置を提供する。【解決手段】便器装置１００は、便鉢１２を有する便器１０と、便器の後方に設けられた機能部３０と、機能部の前側に設けられ且つ便鉢の後端より前側において便鉢の上端部から下側に突出する水位センサ５０と、を備える。【選択図】図１
2020133376.tif 000002
【特許請求の範囲】
【請求項１】
便鉢を有する便器と、
前記便器の後方に設けられた機能部と、
前記機能部の前側に設けられ且つ前記便鉢の後端より前側において前記便鉢の上端部から下側に突出する水位センサと、
を備える便器装置。
【請求項２】
前記水位センサは左右方向において間隔をあけて２つ設けられている、
請求項１に記載の便器装置。
【請求項３】
前記水位センサは、
金属製の電極と、
前記電極を収容し、少なくとも下側が開放されている電極カバーと、
を備える、
請求項１又は２に記載の便器装置。
【請求項４】
前記電極カバーには上下方向において互いに異なる位置の通水孔が複数形成されている、
請求項３に記載の便器装置。
【請求項５】
前記機能部の下側に下面が水平なスペーサーが設けられ、
前記水位センサは前記下面に取り付けられている、
請求項１から４のいずれか一項に記載の便器装置。
【請求項６】
前記水位センサの少なくとも前記機能部より下側に突出する部分の前方及び側方を囲む三方カバーを備える、
請求項１から５のいずれか一項に記載の便器装置。
【発明の詳細な説明】
【技術分野】
【０００１】
本発明は、便器装置に関する。
【背景技術】
【０００２】
一般に、便器装置の便鉢内には洗浄水が所定の水位で貯留されている。ところが、排水経路に異物が混入した際に、洗浄水の水位が上昇すると、洗浄水が便器から溢れて漏水や漏電等の大きな被害が生じる虞がある。例えば、特許文献１には、便器の上端部から便鉢の内部に洗浄水を流すリムの内部に水位検出センサが設けられている水洗式便器が開示されている。
【先行技術文献】
【特許文献】
【０００３】
【特許文献１】特開２０１７−１４５６５８号公報
【発明の概要】
【発明が解決しようとする課題】
【０００４】
しかしながら、特許文献１に開示されている水洗式便器では、便器の上面で覆われ且つ便鉢の内部とは別室である第一リム導水路の内部に水位検出センサが設けられている。即ち、特許文献１に開示されている水洗式便器では、水位検出センサが便器に設けられているので、水位を検出する位置の高さを変更したい場合に、便器そのものを取り換える又は製造し直さなければならない。また、特許文献１に開示されている水洗式便器では、第一リム導水路の内側及び水位検出センサに手や清掃具を挿入し難く、水位センサの清掃及びメンテナンスに手間がかかり、洗浄水の上昇の誤検知が発生する虞があった。
【０００５】
本発明は、上記の事情に鑑みてなされたものであり、便鉢の内部の洗浄水の水位を検知する水位センサの取り扱いが容易であって、水位センサの誤検知を防止できる便器装置を提供する。
【課題を解決するための手段】
【０００６】
本発明の便器装置は、便鉢を有する便器と、前記便器の後方に設けられた機能部と、前記機能部の前側に設けられ且つ前記便鉢の後端より前側において前記便鉢の上端部から下側に突出する水位センサと、を備える。
【０００７】
上述のように構成された便器装置では、水位センサが機能部に設けられているので、従来のように水位センサが陶器製の便器に設けられている場合と異なり、同じ便器に対して機能部の交換や後付けによって容易に水位センサの取り付け、取り外し、設置位置の変更及びメンテナンスが行われる。また、上述のように構成された便器装置では、水位センサの先端が便鉢の内部空間に位置していることによって、従来のように水位センサがリムとほぼ同じ高さに形成されている場合に比べて、洗浄水の詰まり等の異常がいち早く検知される。また、異常発生時における水位の上昇及び異常解消時における水位の低下が正確に検知されるので、水位センサの誤検知が防止される。
【０００８】
また、本発明の便器装置では、前記水位センサは左右方向において間隔をあけて２つ設けられていてもよい。
【０００９】
上述のように構成された便器装置では、１つの水位センサのみで洗浄水の水位が検知される場合に比べて、洗浄水の水面全体の水位が正確に検知される。そのため、例えば洗浄水の水位は上昇していないにも関わらず電極に洗浄水がかかった場合等のように、水位の上昇を検知しなくてもよい場合に水位の上昇を検知してしまうというような誤検知が防止される。
【００１０】
また、本発明の便器装置では、前記水位センサは、金属製の電極と、前記電極を収容し、少なくとも下側が開放されている電極カバーと、を備えてもよい。
【００１１】
上述のように構成された便器装置では、電極の側方が電極カバーに囲まれるので、洗浄水の水位が電極の下方から徐々に上昇した場合に洗浄水が電極に接触する。そのため、前述の例のように水位の上昇を検知しなくてもよい場合に水位の上昇を検知してしまうというような誤検知が防止される。
【００１２】
また、本発明の便器装置では、前記電極カバーには上下方向において互いに異なる位置の通水孔が複数形成されていてもよい。
【００１３】
上述のように構成された便器装置では、洗浄水の水位が電極の下方から徐々に上昇した際に、下側に形成された通水孔から電極カバーの内側に洗浄水が流入する。そのため、電極カバーの１カ所に通水孔が形成されている場合又は電極カバーの同じ高さに通水孔が複数形成されている場合に比べて、前述の例のように水位の上昇を検知しなくてもよい場合に水位の上昇を検知してしまうというような誤検知が防止される。
【００１４】
また、本発明の便器装置では、前記機能部の下側に下面が水平な水平保持スペーサーが設けられ、前記水位センサは前記下面に取り付けられていてもよい。
【００１５】
上述のように構成された便器装置では、機能部の前側が平坦ではなく、機能部の前側に湾曲部が設けられていても、水位センサがスペーサーの下面によって水平に配置される。即ち、機能部の前側の形状によらず、水位センサを水平に且つ容易に設置できる。そのことによって、水位センサの誤検知が防止される。
【００１６】
また、本発明の便器装置では、前記水位センサの少なくとも前記機能部より下側に突出する部分の前方及び側方を囲む三方カバーを備えてもよい。
【００１７】
上述のように構成された便器装置では、三方カバーが設けられることによって、水位センサが前方及び側方からの洗浄水や汚物等によって直接汚れ難くなる。また、三方カバーの下側は開放されているので、洗浄水の水位が電極の下方から徐々に上昇した際に良好に検知される。このことによって、やや複雑な形状を有する水位センサであっても頻繁に清掃される必要はなく、三方カバーの前面及び側面が容易に清掃される。水位センサの清浄度が高まれば、水位センサの誤検知が防止される。
【発明の効果】
【００１８】
本発明の便器装置によれば、便鉢の内部の洗浄水の水位を検知する水位センサの取り扱いを容易にし、水位センサの誤検知を防止できる。
【図面の簡単な説明】
【００１９】
【図１】本発明の一実施形態の便器装置の斜視図である。
【図２】図１に示す便器装置の左右方向の中央で便器装置を前後方向に沿って切断した断面図である。
【図３】図１に示す便器装置の上側の部分の正面図であり、便器を破断して示した図である。
【図４】図３に示す構成の一部を破断及び拡大した図である。
【図５】図２に示す構成の一部を破断及び拡大した図である。
【発明を実施するための形態】
【００２０】
本発明の一実施形態の便器装置について、図面を用いて説明する。図１は、本発明の一実施形態の便器装置１００の斜視図である。図１に示すように、便器装置１００は、便鉢１２を有する便器１０と、便鉢１２の内部空間（内部）１４に洗浄水５を供給可能に構成された便器１０の後方に設けられた機能部３０と、機能部３０の前側に設けられた水位センサ５０とを備えている。便器装置１００は、便器１０に対して開閉可能に設けられた便座２１と、便座２１に対して開閉可能に設けられた便蓋２２とをさらに備えている。図１では、閉状態の便座２１と開状態の便蓋２２が示されており、閉状態の便蓋２２は便座２１を介して便鉢１２の開口部１６を上側から覆う。
【００２１】
以下では、便器装置１００の使用者が便座２１に着座した状態で視線の奥側を前側とし、同状態で使用者の背後側を後側とし、前側と後側とを結ぶ方向を前後方向という。また、便座２１に着座した利用者から見て左側を「左側」とし、右側を「右側」とし、左側と右側とを結ぶ方向を左右方向という。また、便器装置１００が設置されている床面から離れている側を「上側」とし、床面に近い側を「下側」とし、上側と下側とを結ぶ方向を上下方向という。
【００２２】
図２は、便器装置１００の左右方向の中央で便器装置１００を前後方向に沿って切断した断面図である。図２に示すように、機能部３０は、カバー２４で覆われた状態で便器１０の後方に設けられている。便器装置１００では、使用者の操作によって、又は自動的に、便器１０の上部に設けられたリム１８の下側周縁を介して便鉢１２の上端部の径方向外側且つ周方向全体から便鉢１２の内壁面に洗浄水５が供給される。既に便鉢１２に貯留されていた洗浄水５は、汚物等と共に、便鉢１２の下端部に接続されている排水経路８及び不図示の排水管を通って便器装置１００の外部に排出される。したがって、通常時には、洗浄水５が所定の水位６−１で便鉢１２に貯留されている。
【００２３】
機能部３０は、概ね前後方向及び左右方向に拡がって所定の大きさを有するベースプレート３２を備えている。ベースプレート３２には、上述のように洗浄水５を便鉢１２に供給する機能を含めて機能部３０の各種機能を発現させるための構成が設けられている。機能部３０の機能の１つとして、例えば使用者の局部を洗浄する機能が挙げられる。
【００２４】
図３は、便器装置１００の上側の部分の正面図であり、便器１０を破断して示した図である。図４は、図３に示す便器装置１００の正面図の部分拡大図である。図４に示すように、機能部３０には、使用者の局部を洗浄するための局部洗浄ノズル３５及びビデノズル３６が設けられている。
【００２５】
局部洗浄ノズル３５及びビデノズル３６は、左右方向の略中央部のベースプレート３２の上側に、互いに隣り合って配置されている。また、局部洗浄のための洗浄水を内部空間１４で使用者に対して後側斜め下側から前側斜め上側に向けて的確に吐出するために、機能部３０の後側から前側に向かうにしたがって下降するように進出可能になっている。そのため、ベースプレート３２の前部且つ左右方向の略中央部には、後側から前側に向かうにしたがって略一定の傾斜角度で下降する傾斜部３４が形成されている。
【００２６】
図３及び図４に示すように、傾斜部３４は、前後方向に沿って正面視すると、左右方向の中央部の平坦部４１と、平坦部４１の左右方向の両端から左右方向において平坦部４１から離れるにしたがって上側に移動する湾曲部４２とを有する。平坦部４１は、左右方向において局部洗浄ノズル３５及びビデノズル３６とこれらのノズルの隔壁が設置されているノズル設置領域４４と略同じ大きさで形成されている。
【００２７】
局部洗浄ノズル３５及びビデノズル３６の少なくとも一方は、便鉢１２に進出する際にノズル通過領域１９を通過する。ノズル通過領域１９は、平坦部４１の前端縁と、２つの湾曲部４２のそれぞれの前端縁と、２つの湾曲部４２の左右方向において平坦部４１と隣接する側とは反対側の前端縁の先端同士を結ぶ仮想線で囲まれる空間領域である。機能部３０は、ノズル通過領域１９に対して開閉可能に設けられたシャッター２６を備えている。シャッター２６の上端縁を中心軸として、シャッター２６の下端縁が上下方向に回転可能になっている。
【００２８】
図４に示すように、水位センサ５０は、便鉢１２に貯留されている洗浄水５の水位が水位６−１より高い水位６−２以上になっているか否かを検知する。図５は、図２に示す便器装置１００の断面図の部分拡大図である。図５に示すように、水位センサ５０は、便鉢１２の後端１５より前側において、便鉢１２の上端（上端部）１７から下側に突出する検知部６０と、検知部６０によって検知された水位に関する情報を機能部に伝達する伝達部９０と、上部電極カバー（電極カバー）６８及び下部電極カバー（電極カバー）６９とを備えている。
【００２９】
検知部６０は、左右方向においてノズル設置領域４４より広い間隔をあけて配置された２本の電極（水位センサ）６２−１，６２−２を有する。以下、電極６２−１，６２−２に共通する内容について説明する際には、電極６２−１，６２−２をまとめて電極６２と記載する。電極６２は、前後方向に沿って延在する被支持部６３と、被支持部６３の前側の先端から上下方向に沿って下側に直線状に垂下する垂下部６４とを有する。被支持部６３の後側には、平面視で環状に曲げられた環状端６５が設けられている。
【００３０】
金属製の電極６２は、上部電極カバー６８及び下部電極カバー６９に収容されてベースプレート３２に取り付けられている。上部電極カバー６８は、上下方向に延在する円柱部７６と、円柱部７６の上端部から前側に突出する前片部７１と、円柱部７６の上端部から後側に突出する後片部７２とを備えている。円柱部７６の径方向略中央には、円柱部７６の上端から下側の所定の高さまで上下方向に延材する貫通孔７７と、前述の所定の高さから円柱部７６の下端まで上下方向に延在する貫通孔７８が形成されている。貫通孔７７の直径は、垂下部６４の直径より僅かに大きい。貫通孔７８の直径は、貫通孔７７の直径より大きい。円柱部７６において前述の所定の高さよりさらに下側の高さから下端までの外周面は、ねじ切りされている。
【００３１】
前片部７１の上面は平坦になっており、前片部７１の下面は前側に進むにしたがって上昇する。後片部７２の上面及び下面は、傾斜部３４の傾斜に沿って後側に進むにしたがって上昇した後、平坦になっている。後片部７２の外周縁には、上側に立ち上がる周壁７４が設けられている。後片部７２の後端部の平坦な上面７３の平面視略中央には、上側に突出する突起７５が設けられている。上部電極カバー６８の上下方向の大きさは、環状端６５を突起７５に掛けて上面７３に載せ、且つ垂下部６４を貫通孔７７，７８に挿通させた状態で垂下部６４の先端が円柱部７６の下端より下側に突出するように適宜設定されている。
【００３２】
下部電極カバー６９は、上下方向に延材する筒状部８１を備えている。円柱部７６の外周面の下側に筒状部８１が螺合できるようにするため、筒状部８１において上端から下側の所定の高さまでの内周面は、ねじ切りされている。前述の所定の高さより下側の高さ８２−１の前側と後側の筒状部８１には、側面視円形の通水孔８３−１が形成されている。前述の所定の高さよりさらに下側であって高さ８２−１より上側の高さ８２−２の左側と右側の筒状部８１には、側面視円形の通水孔８３−２が形成されている。高さ８２−１，８２−２は、通水孔８３−１，８３−２のそれぞれの中心の高さを意味する。下部電極カバー６９の上下方向の大きさは、円柱部７６の外周面の下側に筒状部８１の内周面の上側が螺合した状態で垂下部６４の先端が筒状部８１の下端より上側に位置するように適宜設定されている。筒状部８１の内径は、ねじ切りされている部分より上側の円柱部７６の外径より小さい。筒状部８１の外径は、ねじ切りされている部分より上側の円柱部７６の外径より大きい。
【００３３】
左右方向において平坦部４１に近い側の湾曲部４２には、円柱部７６の上端から前述の所定の高さまでの部分が挿通可能な挿通孔８８が形成されている。前述のように環状端６５を突起７５に掛けて上面７３に載せ、且つ垂下部６４を貫通孔７７，７８に挿通させた状態で、垂下部６４と、貫通孔７８が形成されている部分の円柱部７６が挿通孔８８に挿通している。側面視において、挿通孔８８から下側に突出する円柱部７６の下端部に、筒状部８１の上端部が径方向の外側から嵌まっている。
【００３４】
平坦部４１の下面と筒状部８１の上端面との間に、水平保持スペーサー（スペーサー）８４が配置されている。水平保持スペーサー８４は、側面視で略直角三角形をなすように形成されている。水平保持スペーサー８４の上面は、平坦部４１の下面に接し、後側から前側に進むにしたかって下降する。一方、水平保持スペーサー８４の下面８５は、前後方向及び左右方向において水平である。水平保持スペーサー８４が上下方向において平坦部４１と筒状部８１との間に挟まれて固定されている。水平保持スペーサー８４の左右方向の大きさは、少なくとも平坦部４１より大きく、電極６２−１，６２−２同士の間隔より大きい。図４に示すように、筒状部８１が水平保持スペーサー８４を介して傾斜部３４に取り付けられることによって、筒状部８１に螺合する円柱部７６が水平になり、上下方向における電極６２−１，６２−２の位置が揃っている。
【００３５】
前述の取り付け構造では、水位センサ５０のうち被支持部６３が機能部３０に露出している。局部洗浄ノズル３５及びビデノズル３６が濡れた状態で機能部３０に収容された後に、局部洗浄ノズル３５及びビデノズル３６に付着していた水滴等が２つの被支持部６３に付着すると、水位センサ５０がショートしてしまう。そこで、電極６２−１が収容されている上部電極カバー６８とビデノズル３６との間には、隔壁部９７が設けられている。
【００３６】
図５に示すように、伝達部９０は、金属製の環状端９１と、被覆された電気コード９２を備えている。環状端９１は、環状端６５の上側に接して突起７５に掛けられている。環状端９１は、上方からワッシャ９８によって押さえられている。環状端９１から後側に延在する部分に電気コード９２が接続されている。電気コード９２の環状端９１に接続されている側とは反対側の端部は、機能部３０の種々の機能を発揮させるための電源（図示略）とは絶縁された不図示の絶縁変圧器に接続されている。したがって、２つの電気コード９２を介して、電極６２−１，６２−２に絶縁変圧器からの二次側電圧が供給されている。
【００３７】
図４に示すように、洗浄水５の水位が水位６−２以上になると、電極６２−１，６２−２の先端６６，６６が共に洗浄水５に接触するので、洗浄水５の導電性によって、電極６２−１，６２−２が通電する。電極６２−１，６２−２で検知された電気信号は、電極６２−１，６２−２に接続され且つ電気コード９２とは異なる電気コード（図示略）を介して、図１に示す電気信号発信部１０２に送信される。電気信号発信部１０２は、電極６２−１，６２−２から電気信号を受信した際に、異常を知らせる音を発信する、あるいは便器装置１００から離れた場所に設置されている管理室に異常を知らせる音や信号を発信する。
【００３８】
図４に示すように、機能部３０には、水平保持スペーサー８４を介して傾斜部３４に取り付けられた状態の筒状部８１を部分的に囲む三方カバー９５が設けられている。三方カバー９５は、２つの電極６２−１，６２−２の先端がそれぞれ収容されている筒状部８１，８１の前側と、電極６２−１の先端が収容されている筒状部８１の右側と、電極６２−２の先端が収容されている筒状部８１の左側とを囲んでいる。三方カバー９５の下側は、開放されている。三方カバー９５は、水平保持スペーサー８４と一体に形成されている。
【００３９】
以上説明した便器装置１００は、便鉢１２を有する便器１０と、便器１０の後方に設けられた機能部３０と、機能部３０の前側に設けられ且つ後端１５より前側において上端１７から下側に突出する水位センサ５０と、を備える。便器装置１００によれば、水位センサ５０が機能部３０に設けられているので、従来のように水位センサが陶器製の便器に設けられている場合とは異なり、同じ便器に対して機能部３０の交換や後付けによって水位センサ５０の取り付け、取り外し、設置位置の変更及びメンテナンスを容易に行うことができる。また、便器装置１００では、先端６６が内部空間１４に位置していることによって、従来のように水位センサがリムと略同じ高さに形成されている場合に比べて、洗浄水５の詰まり等の異常をいち早く検知できる。即ち、図４に示すように、洗浄水５の水位が通常時の水位６−１から上昇しても従来のように上端１７より高くなるより前に、上端１７より低い水位６−２に達した時点で、水位の上昇による異常や排水経路の異物混入を検知できる。また、異常発生時における水位の上昇及び異常解消時における水位の低下を正確に検知できるので、水位センサ５０の誤検知を防止できる。
【００４０】
また、便器装置１００では、電極６２−１，６２−２は左右方向において間隔をあけて２つ設けられている。便器装置１００によれば、１つの水位センサのみで洗浄水の水位が検知される場合に比べて、洗浄水５の水面全体の水位を正確に検知できる。そのため、例えば洗浄水５の水位は上昇していないにも関わらず、電極６２−１，６２−２に洗浄水５がかかった場合や使用後の洗浄時に洗浄水５が旋回して電極６２−１，６２−２の近傍の水位が一時的に上昇した場合等のように、水位の上昇を検知しなくてもよい場合に水位の上昇を検知してしまうというような誤検知を防止できる。
【００４１】
また、便器装置１００は、水位センサ５０は、金属製の電極６２−１，６２−２と、これらの電極６２−１，６２−２を収容して下側が開放されている上部電極カバー６８及び下部電極カバー６９と、を備えている。便器装置１００によれば、電極６２−１，６２−２の外周が上部電極カバー６８及び下部電極カバー６９に囲まれるので、洗浄水５の水位が電極６２−１，６２−２の下方から徐々に上昇した場合に洗浄水５が電極６２−１，６２−２に接触する。そのため、前述の例のように水位の上昇を検知しなくてもよい場合に水位の上昇を検知してしまうというような誤検知を防止できる。
【００４２】
また、便器装置１００では、下部電極カバー６９には上下方向において互いに異なる位置の通水孔８３−１，８３−２が複数形成されている。便器装置１００によれば、洗浄水５の水位が電極６２−１，６２−２の下方から徐々に上昇した際に、先ず通水孔８３−２から下部電極カバー６９の内側に洗浄水５が流入する。その後、通水孔８３−２より上側に形成された通水孔８３−１から下部電極カバー６９の内側に洗浄水５が流入する。そのため、電極カバーの１カ所に通水孔が形成されている場合又は電極カバーの同じ高さに通水孔が複数形成されている場合に比べて、前述の例のように水位の上昇を検知しなくてもよい場合に水位の上昇を検知してしまうというような誤検知を防止できる。
【００４３】
また、便器装置１００では、機能部３０の前側には湾曲部４２が設けられ、湾曲部４２の少なくとも一部を含む機能部３０の下側に、下面が水平な水平保持スペーサー８４が設けられている。水位センサ５０は、水平保持スペーサー８４の下面に取り付けられている。便器装置１００によれば、機能部３０の前側が平坦ではなく、機能部３０の前側に湾曲部４２が設けられていても、水位センサ５０を水平保持スペーサー８４の下面によって水平に配置できる。そのことによって、水位センサ５０の誤検知を防止できる。
【００４４】
また、便器装置１００では、水位センサ５０の機能部３０より下側に突出する部分の前方及び側方を囲む三方カバー９５を備えている。便器装置１００によれば、三方カバー９５が設けられることによって、水位センサ５０が前方及び側方からの洗浄水５や汚物等によって直接汚れるのを防止できる。また、三方カバー９５の下側は開放されているので、洗浄水５の水位が電極６２−１，６２−２の下方から徐々に上昇した際に、水位の上昇を良好に検知できる。このことによって、やや複雑な形状を有する水位センサ５０を頻繁に清掃する必要はなく、三方カバー９５の前面及び側面を清掃すればよい。このことによって、水位センサ５０の清浄度を高め、水位センサ５０の誤検知を防止できる。
【００４５】
なお、本発明の便器装置１００は、上述した実施形態に限定されるものではなく、本発明の要旨を逸脱しない範囲で適宜の変更や置換等が可能である。
【００４６】
例えば、上述の実施形態では２つの水位センサ５０が設けられていることを説明したが、水位センサは１つだけ設けられていてもよい。その場合は、１つの水位センサが電極カバーを備えて、前述のような水位の上昇を検知しなくてもよい場合に水位の上昇を検知してしまうというような誤検知を防止可能に構成されていることが好ましい。
【００４７】
また、上述の実施形態では、水位センサ５０の機能部３０への取り付け構造として、電極６２を設置した上部電極カバー６８を、傾斜部３４及び水平保持スペーサー８４を介して下部電極カバー６９で下側から締め付ける構造を説明した。しかしながら、水位センサ５０の機能部３０への取り付け構造は前述の構造に限定されない。例えば、水平保持スペーサー８４が機能部３０の前側にビス等で留められ、下面８５に水位センサ５０が取り付けられていてもよい。
【００４８】
また、上述の実施形態では、平坦部４１の左右方向両側に湾曲部４２が設けられている傾斜部３４について説明したが、機能部３０の前側の形状は前述の形状に限定されず、任意の形状を有していてよい。どのような形状を有していても、機能部３０の下側に水平保持スペーサー８４を設ければ、水平保持スペーサー８４の下面によって水位センサ５０を水平に配置できる。
【００４９】
また、上述の実施形態では電気信号発信部１０２が便器装置１００のリモートコントローラや操作部が設置される位置と同様の位置に設けられている例を説明した。しかしながら、電気信号発信部１０２の設置場所は特に限定されず、便器装置１００の管理形態に応じて適宜決められる。例えば、電気信号発信部１０２は、機能部３０に配置されていてもよい。
【符号の説明】
【００５０】
５…洗浄水
１０…便器
１２…便鉢
１４…内部空間（内部）
１５…後端
１７…上端（上端部）
３０…機能部
５０…水位センサ
６２…電極
６８…上部電極カバー（電極カバー）
６９…下部電極カバー（電極カバー）
８３−１，８３−２…通水孔
８４…水平保持スペーサー（スペーサー）
８５…下面
９５…三方カバー
１００…便器装置
【図１】
2020133376.tif 000003
【図２】
2020133376.tif 000004
【図３】
2020133376.tif 000005
【図４】
2020133376.tif 000006
【図５】
2020133376.tif 000007